(57)【要約】移動通信装置によってローミングオペレータを検出することと、移動通信装置はホームオペレータに関連することと、移動通信装置によって、ホームオペレータに対して独立のローミングオペレータによって提供されるデータサービスを受けることと、移動通信装置からローミングオペレータへ、ローミングオペレータがホームオペレータで移動通信装置を認証する情報を送信することと、移動通信装置によって、ホームオペレータでの移動通信装置のローミングオペレータによる認証に基づいて、ローミングオペレータによって提供される音声サービスを受けることとを含む方法。【選択図】図１
2010538512.tif 000002
【特許請求の範囲】
【請求項１】
移動通信装置によってローミングオペレータを検出することと、前記移動通信装置はホームオペレータに関連することと、
移動通信装置によって、前記ホームオペレータに対して独立の前記ローミングオペレータによって提供されるデータサービスを受けることと、
前記移動通信装置から前記ローミングオペレータへ、前記ローミングオペレータが前記ホームオペレータで前記移動通信装置を認証する情報を送信することと、
前記移動通信装置によって、前記ホームオペレータでの前記移動通信装置の前記ローミングオペレータによる前記認証に基づいて、前記ローミングオペレータによって提供される音声サービスを受けることと
を含む方法。
【請求項２】
ローミングオペレータを検出することは、複数のローミングオペレータを検出することを含み、
前記方法は、
前記移動通信装置のユーザに前記複数のローミングオペレータのリストを提供することと、
前記複数のローミングオペレータのうちの１つの選択を受信することと、前記データサービスを受けることは、選択された前記ローミングオペレータから前記データサービスを受けることを含むことと、
をさらに含む、請求項１に記載の方法。
【請求項３】
前記ローミングオペレータが前記ホームオペレータに対して独立の前記データサービスを提供するか否かを判定することと、
前記ホームオペレータに対して独立の前記データサービスを受けるか、それとも前記ホームオペレータに対して独立でない前記データサービスを受けるかというオプションを前記移動通信装置のユーザに提供することと、
をさらに含む、請求項１に記載の方法。
【請求項４】
前記ローミングオペレータが前記ホームオペレータに対して独立の前記データサービスを提供するか否かを判定することは、
前記ローミングオペレータからのユニバーサルリソースインジケータ（ＵＲＩ）を要求することと、
異なるＵＲＩへのリダイレクトを検出することと
を含む、請求項３に記載の方法。
【請求項５】
前記データサービスの支払についての前記移動通信装置から前記ローミングオペレータへの支払情報を送信すること
をさらに含む、請求項３に記載の方法。
【請求項６】
前記データサービスを受けることは、第１のデータサービスを受けることを含み、
前記方法は、
前記ローミングオペレータから第２のデータサービスを受けることと、前記ローミングオペレータは前記ホームオペレータと相互接続し、前記第２のデータサービスを提供することと
をさらに含む、請求項１に記載の方法。
【請求項７】
前記第２のデータサービスは、シンプルメッセージシステム（ＳＭＳ）メッセージまたはマルチメディアメッセージシステム（ＭＭＳ）メッセージのうちの１つである、請求項６に記載の方法。
【請求項８】
ローミングオペレータから移動通信装置へデータサービスのレート情報を送信することと、前記移動通信装置はホームオペレータに関連することと、
前記移動通信装置から認証情報を受信することと、
前記ホームオペレータで前記移動通信装置を認証することと、
前記ホームオペレータに対して独立の前記ローミングオペレータによって前記移動通信装置へデータサービスを提供することと、
前記ホームオペレータでの前記移動通信装置の前記ローミングオペレータによる前記認証に基づいて、前記ローミングオペレータによって前記移動通信装置へ音声サービスを提供することと
を含む方法。
【請求項９】
前記データサービスの前記レート情報に対する前記移動通信装置からの要求を受信すること
をさらに含む、請求項８に記載の方法。
【請求項１０】
前記データサービスの支払に対する前記移動通信装置からの情報を受信すること
をさらに含む、請求項９に記載の方法。
【請求項１１】
前記移動通信装置からのユニバーサルリソースインジケータ（ＵＲＩ）に対する要求を受信することと、
異なるＵＲＩへ前記移動通信をリダイレクトすることと
をさらに含む、請求項９に記載の方法。
【請求項１２】
前記データサービスを提供することは、第１のデータサービスを提供することを含み、
前記方法は、
前記移動通信装置に第２のデータサービスを提供することと、前記ローミングオペレータは前記ホームオペレータと相互接続し、前記第２のデータサービスを提供することと
をさらに含む、請求項８に記載の方法。
【請求項１３】
前記第２のデータサービスは、シンプルメッセージシステム（ＳＭＳ）メッセージまたはマルチメディアメッセージシステム（ＭＭＳ）メッセージのうちの１つである、請求項１２に記載の方法。
【請求項１４】
前記第２のデータサービスの種類に基づいて、前記ホームオペレータと相互接続することによって前記第２のデータサービスを提供すべきかを判定すること
をさらに含む、請求項１３に記載の方法。
【請求項１５】
ホームオペレータに関連する移動通信装置であって、
ローミングオペレータに対して通信信号を送受信する送受信部と、
前記送受信部に連結された処理部であって、
前記ホームオペレータに対して独立の前記ローミングオペレータからのデータサービスを処理し、
前記ローミングオペレータが前記ホームオペレータで前記移動通信装置を認証する情報を前記ローミングオペレータへ提供し、
前記ホームオペレータでの前記移動通信装置の前記ローミングオペレータによる前記認証に基づいて、前記ローミングオペレータからの音声サービスを処理する処理部と
を備える装置。
【請求項１６】
前記送受信部は、複数のローミングオペレータからの通信信号を受信し、
前記装置は、
前記ユーザに前記複数のローミングオペレータのリストを提供するディスプレイと、
前記複数のローミングオペレータのうちの１つの選択を受信するユーザインタフェースであって、前記処理部は、選択された前記ローミングオペレータからの前記データサービスを処理するものである、ユーザインタフェースと
をさらに備える、請求項１５に記載の装置。
【請求項１７】
前記処理部は、さらに
前記ローミングオペレータが前記ホームオペレータに対して独立の前記データサービスを提供するか否かを判定し、
前記ホームオペレータに対して独立の前記データサービスを受けるか、それとも前記ホームオペレータに対して独立でない前記データサービスを受けるかというオプションを前記移動通信装置のユーザに提供する、
請求項１５に記載の装置。
【請求項１８】
前記処理部は、前記ローミングオペレータからのユニバーサルリソースインジケータ（ＵＲＩ）を要求し、異なるＵＲＩへのリダイレクトを検出する、
請求項１７に記載の装置。
【請求項１９】
前記処理部は、前記データサービスの支払についての前記ローミングオペレータへの支払情報を送信する、
請求項１７に記載の装置。
【請求項２０】
前記処理部は、前記ローミングオペレータから第２のデータサービスを受け、前記ローミングオペレータは前記ホームオペレータと相互接続し、前記第２のデータサービスを提供する、
請求項１５に記載の装置。
【請求項２１】
前記第２のデータサービスは、シンプルメッセージシステム（ＳＭＳ）メッセージまたはマルチメディアメッセージシステム（ＭＭＳ）メッセージのうちの１つである、請求項２０に記載の装置。
【請求項２２】
移動通信装置によってローミングオペレータを検出することと、前記移動通信装置はホームオペレータに関連することと、
前記ローミングオペレータが前記ホームオペレータに対して独立の前記データサービスを提供するか否かを判定することと、
前記ホームオペレータに対して独立のデータサービスを受けるか、それとも前記ホームオペレータに依存するデータサービスを受けるかというオプションを前記移動通信装置のユーザに提供することと
を含む方法。
【請求項２３】
前記移動通信装置によって、前記ホームオペレータに対して独立の前記ローミングオペレータによって提供される前記データサービスを受けることをさらに含む、請求項２２に記載の方法。
【請求項２４】
前記移動通信装置から前記ローミングオペレータへ、前記ローミングオペレータが前記ホームオペレータで前記移動通信装置を認証する情報を送信することと、
前記移動通信装置によって、前記ホームオペレータでの前記移動通信装置の前記ローミングオペレータによる前記認証に基づいて、前記ローミングオペレータによって提供される音声サービスを受けることと
をさらに含む、請求項２３に記載の方法。
【請求項２５】
前記データサービスの支払についての前記移動通信装置から前記ローミングオペレータへの支払情報を送信すること
をさらに含む、請求項２４に記載の方法。
【発明の詳細な説明】
【技術分野】
【０００１】
ここで説明する実施形態は、広くローミングネットワーク環境におけるサービス提供に関する。
【背景技術】
【０００２】
海外旅行中など、携帯電話ユーザの「ホーム」の外の環境、つまり携帯電話ユーザのモバイルオペレータがモバイルサービスの提供を行わない場所で携帯電話を使用すると、携帯電話ユーザが「ローミング料金」を経験することがある。ローミング料金は非常に高額であることが多く、音声サービスにもデータサービスにも適用があることが多い。さらに、このようなローミング料金がいくらになるのか、請求書を受け取るまでユーザにはわからないこともある。特に、送受信データのバイト単位で課金されることもあり、例えばデータサービスを利用中にユーザがその計算をするのは、非常に困難であろう。このような状況のせいで、旅行中に携帯電話を使用する気がなくなってしまうこともあろう。
【０００３】
このような請求状況については、例えば「ローミングオペレータ」との契約など、ユーザのホームオペレータと、ホームオペレータがサービス提供を行わない領域におけるモバイルオペレータとの間に契約が結ばれている場合に、発生することがある。ローミングオペレータにおいては、時にはホームオペレータにおいてもそうであるが、顧客にとって請求の取決めを単純にすることができる契約について交渉の余地がほとんどないことがある。
【発明の概要】
【０００４】
ある観点において、方法が、移動通信装置によってローミングオペレータを検出することと、移動通信装置はホームオペレータに関連することと、移動通信装置によって、ホームオペレータに対して独立のローミングオペレータによって提供されるデータサービスを受けることと、移動通信装置からローミングオペレータへ、ローミングオペレータがホームオペレータで移動通信装置を認証する情報を送信することと、移動通信装置によって、ホームオペレータでの移動通信装置のローミングオペレータによる認証に基づいて、ローミングオペレータによって提供される音声サービスを受けることとを含んでもよい。
【０００５】
ある観点において、ローミングオペレータを検出することは、複数のローミングオペレータを検出することを含んでもよい。上記方法は、移動通信装置のユーザに複数のローミングオペレータのリストを提供することと、複数のローミングオペレータのうちの１つの選択を受信することと、データサービスを受けることは、選択されたローミングオペレータからデータサービスを受けることを含むことと、をさらに含んでもよい。
【０００６】
ある観点において、ローミングオペレータがホームオペレータに対して独立のデータサービスを提供するか否かを判定することをさらに含んでもよい。
【０００７】
ある観点において、ローミングオペレータがホームオペレータに対して独立のデータサービスを提供するか否かを判定することは、ローミングオペレータからのユニバーサルリソースインジケータ（ＵＲＩ）を要求することと、異なるＵＲＩへのリダイレクトを検出することとを含んでもよい。
【０００８】
ある観点において、上記方法は、データサービスの支払についての移動通信装置からローミングオペレータへの支払情報を送信することをさらに含んでもよい。
【０００９】
ある観点において、データサービスを受けることは、第１のデータサービスを受けることを含んでもよく、上記方法は、ローミングオペレータから第２のデータサービスを受けることと、ローミングオペレータはホームオペレータと相互接続し、第２のデータサービスを提供することとをさらに含んでもよい。
【００１０】
ある観点において、第２のデータサービスは、シンプルメッセージシステム（ＳＭＳ）メッセージまたはマルチメディアメッセージシステム（ＭＭＳ）メッセージのうちの１つを含んでもよい。
【００１１】
ある観点において、方法が、ローミングオペレータから移動通信装置へデータサービスのレート情報を送信することと、移動通信装置はホームオペレータに関連することと、移動通信装置から認証情報を受信することと、ホームオペレータで移動通信装置を認証することと、ホームオペレータに対して独立のローミングオペレータによって移動通信装置へデータサービスを提供することと、ホームオペレータでの移動通信装置のローミングオペレータによる認証に基づいて、ローミングオペレータによって移動通信装置へ音声サービスを提供することとを含んでもよい。
【００１２】
ある観点において、上記方法は、データサービスのレート情報に対する移動通信装置からの要求を受信することをさらに含んでもよい。
【００１３】
ある観点において、上記方法は、データサービスの支払に対する移動通信装置からの情報を受信することをさらに含んでもよい。
【００１４】
ある観点において、上記方法は、移動通信装置からのユニバーサルリソースインジケータ（ＵＲＩ）に対する要求を受信することと、異なるＵＲＩへ移動通信をリダイレクトすることとをさらに含んでもよい。
【００１５】
ある観点において、データサービスを提供することは、第１のデータサービスを提供することを含んでもよい。上記方法は、移動通信装置に第２のデータサービスを提供することと、ローミングオペレータはホームオペレータと相互接続し、第２のデータサービスを提供することとをさらに含んでもよい。
【００１６】
ある観点において、第２のデータサービスは、シンプルメッセージシステム（ＳＭＳ）メッセージまたはマルチメディアメッセージシステム（ＭＭＳ）メッセージのうちの１つである。
【００１７】
ある観点において、上記方法は、第２のデータサービスの種類に基づいて、ホームオペレータと相互接続することによって第２のデータサービスを提供すべきかを判定することをさらに含んでもよい。
【００１８】
ある観点において、ホームオペレータに関連する移動通信装置が、ローミングオペレータに対して通信信号を送受信する送受信部と、送受信部に連結された処理部であって、ホームオペレータに対して独立のローミングオペレータからのデータサービスを処理し、ローミングオペレータがホームオペレータで移動通信装置を認証する情報をローミングオペレータへ提供し、ホームオペレータでの移動通信装置のローミングオペレータによる認証に基づいて、ローミングオペレータからの音声サービスを処理する処理部とを備えてもよい。
【００１９】
ある観点において、前記送受信部は、ローミングオペレータの組からの通信信号を受信する。上記装置は、ユーザにローミングオペレータの組のリストを提供するディスプレイと、ローミングオペレータの組のうちの１つの選択を受信するユーザインタフェースであって、処理部は、選択された前記ローミングオペレータからのデータサービスを処理するものである、ユーザインタフェースとをさらに備えてもよい。
【００２０】
ある観点において、処理部は、ローミングオペレータがホームオペレータに対して独立のデータサービスを提供するか否かを判定してもよい。
【００２１】
ある観点において、処理部は、ローミングオペレータからのユニバーサルリソースインジケータ（ＵＲＩ）を要求し、異なるＵＲＩへのリダイレクトを検出する。
【００２２】
ある観点において、処理部は、データサービスの支払についてのローミングオペレータへの支払情報を送信する。
【００２３】
ある観点において、処理部は、ローミングオペレータから第２のデータサービスを受け、ローミングオペレータはホームオペレータと相互接続し、第２のデータサービスを提供する。
【００２４】
第２のデータサービスは、シンプルメッセージシステム（ＳＭＳ）メッセージまたはマルチメディアメッセージシステム（ＭＭＳ）メッセージのうちの１つである。
【００２５】
添付図面は、この明細書に組み込まれ、その一部をなすものであるが、本発明の１または２以上の実施形態を示すものであり、発明を実施するための形態とともに本発明を説明するものである。
【図面の簡単な説明】
【００２６】
【図１】図１は、ここで説明する実施形態の環境の一例を示す。
【図２】図２は、ユーザ装置の構成の一例のブロック図を示す。
【図３】図３は、ユーザ装置の構成の一例の図である。
【図４】図４は、サーバモジュールの構成の一例のブロック図である。
【図５】図５は、ローミングネットワークにおいてデータサービスの提供を行う処理例５００のフローチャートである。
【図６Ａ】図６Ａは、ユーザインタフェースの一例のブロック図である。
【図６Ｂ】図６Ｂは、ユーザインタフェースの一例のブロック図である。
【図７Ａ】図７Ａは、ユーザインタフェースの一例のブロック図である。
【図７Ｂ】図７Ｂは、ユーザインタフェースの一例のブロック図である。
【図８Ａ】図８Ａは、ユーザインタフェースの一例のブロック図である。
【図８Ｂ】図８Ｂは、ユーザインタフェースの一例のブロック図である。
【図９】図９は、ローミングネットワークにおいてデータサービスの提供を行う処理の一例のフローチャートである。
【図１０】図１０は、ローミングネットワークにおいてデータサービスの提供を行う処理の一例のフローチャートである。
【発明を実施するための形態】
【００２７】
以下の発明を実施するための形態においては、添付図面を参照する。別々の図でも、同一の符号で、同一または同様の構成要素を識別することがある。また、以下の発明を実施するための形態は、特許請求の範囲を限定するものではない。ここで説明する本発明の範囲を定めるものは、むしろ特許請求の範囲である。
【００２８】
ここで説明する１または２以上の実施形態では、ローミングオペレータが、ホームオペレータに対して独立の移動装置にデータサービスの提供を行うものとすることができる。ここで説明する１または２以上の実施形態では、ローミングオペレータは、例えば均一料金など、均一レートで移動装置にデータサービスの提供を行うものとすることができる。ここで説明する１または２以上の実施形態では、ホームオペレータとローミングオペレータとの間の相互接続を通してホームオペレータへデータを返信するよりも、ローミングオペレータがゲートウェイＧＰＲＳ（ｇｅｎｅｒａｌ  ｐａｃｋｅｔ  ｒａｄｉｏ  ｓｙｓｔｅｍ：汎用パケット無線システム）サポートノード（ＧＧＳＮ：ｇａｔｅｗａｙ  ＧＰＲＳ  ｓｕｐｐｏｒｔ  ｎｏｄｅ）へトラフィックを通過させるものとすることができる。ここで説明する１または２以上の実施形態では、ＧＧＳＮへトラフィックを通過させるのか、ホームオペレータへの相互接続へトラフィックを通過させるのか、ローミングオペレータが決めるものとすることができる。
【００２９】
図１は、ここで説明する実施形態を実施可能な環境例１００を示す。環境１００は、ホームネットワーク環境１０２（例えばドイツ）とローミングネットワーク環境１０４（例えばスウェーデン）とを含むものとすることができる。ホームネットワーク環境１０２は、例えばバルト海などの水体１０３によってローミングネットワーク環境１０４から分離したものとすることができる。ローミングネットワーク環境１０４は、ユーザ装置１０６（装置１０６）と、セルタワー１０８‐１〜１０８‐４と、サーバ１１２と、リンク１１４と、リンク１１６とを含むものとすることができる。ホームネットワーク環境１０２は、セルタワー１０８‐５および１０８‐６を含むものとすることができる。セルタワー１０８‐１〜１０８‐６は、総称して「セルタワー１０８」ということもあれば、個別に「セルタワー１０８‐ｘ」ということもある。
環境１００はネットワーク１１０も含むものとし、ネットワーク１１０は、ホームネットワーク環境１０２とローミングネットワーク環境１０４とを接続する相互接続１１１を含むものとする。ある実施形態では、相互接続１１１は、例えばホームネットワーク環境１０２とローミングネットワーク環境１０４との間など、ローミングオペレータとホームオペレータとの間の専用リンクまたは所定のリンクとすることができる。
【００３０】
他の実施形態では、環境１００は、より多くの構成要素を含むことも、より少ない構成要素を含むことも、異なる構成要素を含むことも可能である。また、環境１００の１または２以上の構成要素は、環境１００の他の構成要素の機能を実行するものとすることも可能である。さらに、装置１０６、セルタワー１０８、ネットワーク１１０、サーバ１１２のうち１または２以上を、互いに離れたところに位置するものとすることも可能である。
【００３１】
装置１０６は、例えば、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ：移動通信用グローバルシステム）、ＣＤＭＡ（ｃｏｄｅ‐ｄｉｖｉｓｉｏｎ  ｍｕｌｔｉｐｌｅ  ａｃｃｅｓｓ：符号分割多元アクセス）、ＷＣＤＭＡ（ｗｉｄｅｂａｎｄ  ｃｏｄｅ‐ｄｉｖｉｓｉｏｎ  ｍｕｌｔｉｐｌｅ  ａｃｃｅｓｓ：広帯域符号分割多元アクセス）、ＧＰＲＳ、ＥＤＧＥ（ｅｎｈａｎｃｅｄ  ｄａｔａ  ｒａｔｅｓ  ｆｏｒ  ＧＳＭ  ｅｖｏｌｕｔｉｏｎ：ＧＳＭ発展型用拡張データレート）などの無線通信プロトコルによってタワー１０８と通信を行うものとすることができる。装置１０６は、以下の装置のうちのいずれを含むものであってもよい。携帯電話。パーソナルコンピュータ。無線電話などの電話。データ処理能力、ファクシミリ能力、および／またはデータ通信能力を有するセルラ無線電話と組合可能なパーソナル通信システム（ＰＣＳ：ｐｅｒｓｏｎａｌ  ｃｏｍｍｕｎｉｃａｔｉｏｎｓ  ｓｙｓｔｅｍ）端末。パーソナル音楽プレーヤ（ＰＭＰ：ｐｅｒｓｏｎａｌ  ｍｕｓｉｃ  ｐｌａｙｅｒ）。ノート型パーソナルコンピュータ。パーソナルコンピュータ（ＰＣ：ｐｅｒｓｏｎａｌ  ｃｏｍｐｕｔｅｒ）。無線電話、ポケットベル、インターネット／イントラネットアクセス、ウェブブラウザ、オーガナイザ、カレンダ、全地球測位システム（ＧＰＳ：ｇｌｏｂａｌ  ｐｏｓｉｔｉｏｎｉｎｇ  ｓｙｓｔｅｍ）を含むことが可能な携帯情報端末（ＰＤＡ：ｐｅｒｓｏｎａｌ  ｄｉｇｉｔａｌ  ａｓｓｉｓｔａｎｔ）。その他の種類の計算装置または通信装置。別の実施形態では、装置１０６は、タワー１０８と通信を行うものとすることもできれば、有線ネットワークを介して他の装置と通信を行うものとすることもできる。
【００３２】
タワー１０８は、ＧＳＭ、ＣＤＭＡ、ＷＣＤＭＡ、ＧＰＲＳ、ＥＤＧＥなど、いかなる無線通信プロトコルを用いて装置１０６と通信を行うものとすることも可能である。タワー１０８は、無線および／有線信号を送受信可能なネットワーク１１０またはサーバ１１２にアクセスするルータなどの装置を備えるものとしてもよいし、ネットワークへのアクセスを提供する他の装置を備えることも可能である。装置１０６は、タワー１０８のうちいずれか１つを介してネットワーク１１０に接続するものとすることができる。他の実施形態では、装置１０６は、有線接続および／または無線接続を介してネットワーク１１０に直接接続するものとすることも可能である。
【００３３】
タワー１０８は、例えば装置１０６などのユーザ装置に対して携帯電話サービスおよびデータサービスの提供を行うものとすることができる。このようなネットワークサービスは、音声電話コール、ウェブブラウジング、電子メールなどを含むものとすることが可能である。１または２以上のネットワークオペレータが装置１０６に対してこのようなサービスの提供を行うものとすることも可能である。例えば、タワー１０８‐１および１０８‐２をあるサービスプロバイダ（例えば、図１の線影部に示したＴｅｌｅｎｏｒＳＥ（ＴＭ））に属するものとして、タワー１０８‐３および１０８‐４を別のサービスプロバイダ（例えば、図１の点影部に示した３ＳＥ（ＴＭ））に属するものとすることができる。あるオペレータが、既存のサブスクリプションを有していない装置に対してサービスの提供を行うと、当該オペレータは当該装置にとって「ローミングオペレータ」であると見なすことができる。
【００３４】
ネットワーク１１０は、インターネット、アドホックネットワーク、ローカルエリアネットワーク（ＬＡＮ：ｌｏｃａｌ  ａｒｅａ  ｎｅｔｗｏｒｋ）、ワイドエリアネットワーク（ＷＡＮ：ｗｉｄｅ  ａｒｅａ  ｎｅｔｗｏｒｋ）、メトロポリタンエリアネットワーク（ＭＡＮ：ｍｅｔｒｏｐｏｌｉｔａｎ  ａｒｅａ  ｎｅｔｗｏｒｋ）、セルラネットワーク、公衆交換電話網（ＰＳＴＮ：ｐｕｂｌｉｃ  ｓｗｉｔｃｈｅｄ  ｔｅｌｅｐｈｏｎｅ  ｎｅｔｗｏｒｋ）、あるいは他のネットワークやネットワークの組合せを含むものとすることが可能である。ネットワーク１１０は相互接続１１１を含むものとし、相互接続１１１はホームネットワーク環境１０２とローミングネットワーク環境との間にリンクを提供するものとすることができる。例えば、相互接続１１１は、タワー１０８‐３および１０８‐４（例えば３ＳＥ）を用いるローミングオペレータと、タワー１０８‐５および１０８を用いるホームオペレータとの間に所定のリンクまたは専用リンクを提供するものとすることができる。ある実施形態では、相互接続１１１は、非専用リンクを含んだいかなる種類のデータリンクとすることも可能である。
【００３５】
サーバ１１２は、サーバプログラム、データベース、および／またはアプリケーションのホスティングを行う１または２以上のコンピュータシステムまたはサーバモジュールを含むものとすることが可能である。サーバ１１２はＧＧＳＮを含むものとし、ＧＧＳＮは、ＧＰＲＳ無線データネットワークと、ネットワーク１１０などの他のネットワークとの間のゲートウェイとして動作するものとすることができる。装置１０６のユーザは、装置１０６にホスティングされたアプリケーション（例えばブラウザ）を通してデータ要求を行うことが可能であり、サーバ１１２は、例えばゲートウェイなどのＧＧＳＮをネットワーク１１０に対して提供することで、その要求を満たすことができる。つまり、ＧＧＳＮがサーバ１１２とネットワーク１１０との間にリンク１１４を提供することができるのである。さらに、タワー１０８‐６におけるＧＧＳＮ（図示せず）がタワー１０８‐６とネットワーク１１０との間にリンク１１６を提供するものとすることも可能である。
【００３６】
ユーザ装置の一例
図２は、装置１０６の図の一例である。図示するように、装置１０６は、カメラ２０２と、スピーカ２０４と、ディスプレイ２０６と、コントロールキー２０８と、キーパッド２１０と、マイクロフォン２１２と、筐体２１４とを備えるものとすることができる。装置１０６は、データの受信、送信、および／または処理を助ける他の構成要素（図２には図示せず）を含むこともできる。また、装置１０６の構成要素の構成は他にもあり得る。さらに、クライアント装置の１または２以上の構成要素を、互いに離れたところに位置するものとすることも可能である。
【００３７】
カメラ２０２は、ユーザが装置１０６の前の被写体の媒体（例えば画像やビデオクリップ）の観察、キャプチャ、格納を行うことを可能にするものとすることができる。スピーカ２０４は、装置１０６のユーザに可聴情報を提供するものとすることができる。ディスプレイ２０６は、タッチスクリーンを備えてユーザから入力を受け取ることができる。例えば、ディスプレイ２０６は、着信電話または発信電話、ゲーム、電話番号、連絡情報、現在時刻、電子メールなどに関する情報を提供するものとすることが可能である。コントロールキー２０８は、ユーザが装置１０６とやり取りして、電話をかけたり受けたりするなど、１または２以上のオペレーションを装置１０６に行わせることを可能にするものとすることができる。コントロールキー２０８は「ソフトキー」を備えるものとし、「ソフトキー」は直接キーの上のディスプレイ２０６に表示される機能を実行するものとすることができる。キーパッド２１０は、標準的な電話のキーパッドを備えるものとし、装置１０６に対する情報の入力（例えばタイピング）を可能にする追加キーも備えるものとすることが可能である。マイクロフォン２１２は、ユーザから可聴情報を受け取るものとすることができる。筐体２１４は、装置１０６の構成要素に対する外装を提供し、外部のものから構成要素を保護するものとすることができる。
【００３８】
図３は、装置１０６の構成要素の一例の図である。図３に示すように、装置１０６は、バス３１０と、処理ロジック３２０と、入力装置３３０と、出力装置３４０、通信インタフェース３５０と、メモリ３６０とを含むものとすることができる。メモリ３６０は、オペレーティングシステム３６２と、ブラウザ３６４と、電子メールクライアントアプリケーション３６６とを含むものとすることができる。装置１０６は、データの受信、送信、および／または処理を助ける他の構成要素（図３には図示せず）を含むこともできる。また、装置１０６の構成要素の構成は他にもあり得る。さらに、クライアント装置の１または２以上の構成要素を、互いに離れたところに位置するものとすることも可能である。
【００３９】
処理ロジック３２０は、プロセッサと、マイクロプロセッサと、特定用途向け集積回路（ＡＳＩＣ：ＡＰＰＬＩＣＡＴＩＯＮ‐ｓｐｅｃｉｆｉｃ  ｉｎｔｅｇｒａｔｅｄ  ｃｉｒｃｕｉｔ）、またはフィールドプログラマブルゲートアレイ（ＦＰＧＡ：ｆｉｅｌｄ‐ｐｒｏｇｒａｍｍａｂｌｅ  ｇａｔｅ  ａｒｒａｙ）を備えたものとすることが可能である。処理ロジック３２０は、回路、データ構造、またはソフトウェアプログラムを備えて装置１０６およびその構成要素のオペレーションを制御することができる。
【００４０】
入力装置３３０は、装置１０６へ情報を入力する機構を備えたものとすることができる。入力装置３３０は、マイクロフォン２１２を備えてオーディオ信号を受信したり、コントロールキー２０８またはキーパッド２１０を備えてデータや制御命令の入力を可能にしたりすることができる。出力装置３４０は、装置１０６から情報を出力する１または２以上の装置を備えたものとすることができる。出力装置３４０は、スピーカ２０４を備えてオーディオ信号を出力したり、ディスプレイ２０６を備えて視覚情報を出力したり、バイブレータ（図示せず）を備えてユーザに対するアラートを行ったりすることができる。
【００４１】
入力装置３３０および出力装置３４０は、装置１０６のユーザがオプションのメニューを受け取り、オプションのメニューから選択を行うことを可能にするものとすることができる。メニューは、装置１０６が実行するアプリケーションに関する様々な機能やモードをユーザが選択することを可能にするものとすることができる。例えば、上述のように、コントロールキー２０８は、ディスプレイ２０６に表示された機能を実行可能な「ソフトキー」を備えたものとすることができる。入力装置３３０および出力装置３４０は、装置１０６において動作中のアプリケーションが定めるモードなど、ある特定のモードやアプリケーションをユーザが作動させることを可能にするものとすることができる。
【００４２】
通信インタフェース３５０は、例えば、ケーブルによる通信用にユニバーサルシリアルバス（ＵＳＢ：ｓｎｖｅｒｓａｌ  ｓｅｒｉａｌ  ｂｕｓ）ポートを備えたものとすることができる。また、通信インタフェース３５０は、処理ロジック３２０からのベースバンド信号を無線周波数（ＲＦ：ｒａｄｉｏ  ｆｒｅｑｕｅｎｃｙ）信号に変換可能な送信部、および／またはＲＦ信号をベースバンド信号に変換可能な受信部を備えたものとすることもできる。あるいは、通信インタフェース３５０は、送受信部を備えて送信部の機能も受信部の機能も実行することができる。通信インタフェース３５０は、ＲＦ信号の送受信用にアンテナを備えたり、連結したりしたものとすることができる。通信インタフェース３５０は、ブルートゥース規格に準拠したものとすることができる。
【００４３】
メモリ３６０は、ハードディスクドライブ（ＨＤＤ：ｈａｒｄ‐ｄｉｓｋ  ｄｒｉｖｅ）、ランダムアクセスメモリ（ＲＡＭ：ｒａｎｄｏｍ‐ａｃｃｅｓｓ  ｍｅｍｏｒｙ）、読出専用メモリ（ＲＯＭ：ｒｅａｄ‐ｏｎｌｙ  ｍｅｍｏｒｙ）、フラッシュメモリ、リムーバブルメモリ、および／またはその他の種類のメモリを備えて、処理ロジック３２０が使用可能なデータおよび／または命令を格納することができる（例えば、何らかの種類のコンピュータ読出可能媒体）。上述のように、メモリ３６０は、オペレーティングシステム３６２と、ブラウザ３６４と、電子メールクライアントアプリケーション３６６とを格納したものとすることができる。オペレーティングシステム３６２はソフトウェアプラットフォームを備えたものとすることが可能であり、ブラウザ３６４などのアプリケーションプログラムをソフトウェアプラットフォーム上で動作させることができる。ブラウザ３６４は、ユーザがウェブサイトのウェブリソースやサーバ１１２などのサーバとやり取りすることを可能にするものとすることができる。ユーザがブラウザ３６４を用いて、ネットワーク１１０および／またはサーバ１１２に対してユニバーサルリソースインジケータ（ＵＲＩ：ｕｎｉｖｅｒｓａｌ  ｒｅｓｏｕｒｃｅ  ｉｎｄｉｃａｔｏｒ）要求を提出することも可能である。電子メールクライアントアプリケーション３６６は、装置１０６のユーザが電子メールを送受信することを可能にするものとすることができる。メモリ３６０は、図３に示していない他のアプリケーションプログラムを含むものとすることもできる。
【００４４】
装置１０６は、以下で詳細に説明するオペレーションを行うものとすることができる。メモリ３６０などのコンピュータ読出可能媒体に含まれたソフトウェア命令を処理ロジック３２０が実行するのに応じて、装置１０６がそのようなオペレーションを行うものとすることができる。コンピュータ読出可能媒体とは、物理的記憶装置または論理的記憶装置と定義することが可能なものである。ソフトウェア命令は、メモリ３６０へ、別のコンピュータ読出可能媒体から読み出すものとすることもあれば、通信インタフェース３５０を介して別の装置から読み出すものとすることもある。メモリ３６０に含まれたソフトウェア命令は、以下で説明する処理を処理ロジック３２０に行わせるものとすることができる。
【００４５】
サーバモジュールの一例
図４は、サーバモジュール４００（モジュール４００）の構成要素の一例のブロック図である。サーバ１１２は、例えばモジュール４００などのサーバモジュールの「ラック（ｒａｃｋ）」のような、１または２以上のサーバモジュール４００を備えたものとすることができる。タワー１０８‐ｘも、サーバモジュール４００などの１または２以上のサーバモジュールを備えたものとすることができる。
【００４６】
サーバモジュール４００は、バス４１０と、処理ロジック４２０と、通信インタフェース４５０と、メモリ４６０とを備えるものとすることができる。メモリ４６０は、ネットワークサービスアプリケーション４６２を含むものとすることができる。サーバモジュール４００は、データの受信、送信、および／または処理を助ける他の構成要素（図示せず）を含むこともできる。また、サーバモジュール４００の構成要素の構成は他にもあり得る。さらに、サーバモジュール４００の１または２以上の構成要素を、互いに離れたところに位置するものとすることも可能である。
【００４７】
バス４１０は、サーバモジュール４００の構成要素間の通信を可能にするパスを含むものとすることができる。処理ロジック４２０は、命令の解釈および実行を行うものであれば、いかなる種類のプロセッサまたはマイクロプロセッサ（プロセッサまたはマイクロプロセッサの組）を備えたものとすることも可能である。他の実施形態では、処理ロジック４２０は、ＡＳＩＣやＦＰＧＡなどを備えたものとすることも可能である。
【００４８】
通信インタフェース４５０は、サーバモジュール４００が他の装置および／または他のシステムと通信を行うのを可能にする送受信部的機構を備えたものとすることができる。通信インタフェース４５０はＧＧＳＮを備え、ＧＧＳＮはＧＰＲＳ無線データネットワークとネットワーク１１０との間のゲートウェイとして動作することができる。通信インタフェース４５０は、ポートを備えて、ローミングネットワーク環境１０４からホームネットワーク環境への相互接続１１１などの専用リンクによって通信を行うものとすることができる。
【００４９】
メモリ４６０は、処理ロジック４２０が実行する情報および命令を格納可能なＲＡＭや別の種類の動的格納装置、処理ロジック４２０が利用可能な静的情報および命令を格納可能なＲＯＭ装置または別の種類の静的格納装置、および／または、情報および／または命令を格納する何か他の種類の磁気記録媒体または光記録媒体とその対応ドライブ、例えばＨＤＤ、を含むものとすることが可能である。
【００５０】
上述のように、メモリ４６０は、例えばデータサービスアプリケーション４６２を格納するものとすることができる。データサービスアプリケーション４６２は、（例えばタワー１０８‐３および１０８‐４を通して）装置１０６からデータ要求を受け取り、例えばインターネットによってネットワーク１１０へ要求を通過させるのか、それとも相互接続１１１によってホームワーク環境１０２へ要求を通過させるのか、判定するものとすることができる。
【００５１】
サーバモジュール４００は、以下で詳細に説明するオペレーションを行うものとすることができる。メモリ４６０などのコンピュータ読出可能媒体に含まれたソフトウェア命令を処理ロジック４２０が実行するのに応じて、サーバモジュール４００がそのようなオペレーションを行うものとすることができる。ソフトウェア命令は、メモリ４６０へ、別のコンピュータ読出可能媒体から読み出すものとすることもあれば、通信インタフェース４５０を介して別の装置から読み出すものとすることもある。メモリ４６０に含まれたソフトウェア命令は、以下で説明する処理を処理ロジック４２０に行わせるものとすることができる。
【００５２】
処理の一例
図５は、ローミングネットワークにおけるデータサービスの処理５００のフローチャートである。ある実施形態では、処理５００を装置１０６で動作するものとすることができる。別の実施形態では、処理５００を処理１０６以外の装置で動作するものとすることもあれば、環境１００における多くの装置間で分散型として動作するものとすることもある。
【００５３】
ユーザ（例えば休暇中の旅行者）が水体１０３（例えばバルト海）を渡ってホームネットワーク環境１０２（例えばドイツ）からローミングネットワーク環境１０４（例えばスウェーデン）に到着すると、処理５００が開始するものとする。スウェーデンに到着したばかりのドイツ人旅行者、例えばユーザ、が装置１０６をオンにして、ブラウザアプリケーション３６４や電子メールクライアントアプリケーション３６６などのデータサービスを起動するものとする。ローミングオペレータを検出するものとする（ブロック５０２）。例えば、装置１０６は、タワー１０８‐１、１０８‐２、１０８‐３、１０８‐４（他もあり得る）と通信していることとなり、以下のローミングオペレータを検出するものとする。Ｔｅｌｉａ。Ｃｏｍｖｉｑ。ＴｅｌｎｏｒＳＥ。３ＳＥ。この例では、ホームネットワーク環境１０２におけるドイツ人旅行者のホームオペレータがスウェーデンではサービス提供を行っていないことにしているので、装置１０６では検出しないものとする。
【００５４】
（ブロック５０２より）検出したローミングオペレータをユーザに提示するものとする（ブロック５０４）。図６Ａは、ローミングオペレータをユーザに提示するユーザインタフェースの一例のブロック図である。図６Ａに示すように、ユーザに対して装置１０６のディスプレイ２０６にローミングオペレータを提示するものとすることが可能であり、Ｔｅｌｉａ、Ｃｏｍｖｉｑ、ＴｅｌｎｏｒＳＥ、３ＳＥが含まれているとする。上述のように、ユーザのホームオペレータはスウェーデンでサービス提供を行っていないことにしたので、ディスプレイ２０６はユーザのホームオペレータを表示していないものとする。結果として、ドイツ人旅行者は、ディスプレイ２０６によってドイツ人旅行者に対して提示されたものの中からローミングオペレータを選択するものとする。
【００５５】
ローミングオペレータ選択が受信されるものとする（ブロック５０６）。図６Ａに示すように、ユーザは、例えば「３ＳＥ」を強調表示してＳＥＬＥＣＴ（選択）ボタンを押すことで、ローミングオペレータの３ＳＥを選択するものとする。図６Ａの強調表示は陰影ボックスで示している。ＳＥＬＥＣＴボタンを押すということは、ディスプレイ２０６をタッチすることや、表示されたＳＥＬＥＣＴボタンに関するソフトキーを押すことを含むものとすることができる。図６Ａの「３ＳＥ」の選択は、オペレータ名の左の黒丸で示される。
【００５６】
ドイツ人旅行者は、選択したローミングオペレータを利用するための料金（例えばレート）が気になり、続行前に料金やレートの情報をさらに所望するものとする。例えば、旅行者は、選択したローミングオペレータが「特別」料金を有しているのか、それとも単に「通常」料金だけか、知りたいものとする。通常料金がある場合、選択したローミングオペレータとホームオペレータとの間で事前に取り決められた料金であるとする。特別料金は、ホームオペレータに対して独立のユーザにローミングオペレータが提示する料金であるとする。料金オプション通知を提示するものとする（ブロック５０８）。図６Ａに示すように、ディスプレイ２０６の右下の角にＴＡＲＩＦＦ  ＯＰＴＩＯＮＳ（料金オプション）ボタンが現れるものとする。例えばＴＡＲＩＦＦ  ＯＰＴＩＯＮＳボタンを押して、ユーザが料金オプションを選択する（ブロック５１０でＹＥＳ）と、処理５００はブロック５１２に移動し、選択したローミングオペレータの料金オプションを判定して、ユーザに表示するものとする。
【００５７】
ＵＲＩ要求が送信されるものとする（ブロック５１２）。例えば、装置１０６は、選択したローミングオペレータに関連するタワー１０８‐ｘ（例えば３ＳＥであればタワー１０８‐３が関連）へＵＲＩ要求を送信するものとする。このようなＵＲＩ要求は、例えば「ｒｏａｍｉｎｇｏｐｅｒａｔｏｒｄａｔａｐｌａｎ．ｃｏｍ」を含むものとすることができる。しかし、ローミングオペレータは、要求されたＵＲＩを取り出して装置１０６に提供するのではなく、かわりに、例えば「ｔａｒｉｆｆ．ｒｏａｍｉｎｇｏｐｅｒａｔｏｒ．ｃｏｍ」など、異なるＵＲＩへ装置１０６をリダイレクトすることが可能である。リダイレクトが検出された場合（ブロック５１４でＹＥＳ）は、選択したローミングオペレータが通常料金とともに特別料金も提示していることを示しており、その双方をユーザに提示するものとすることが可能である。
【００５８】
特別料金オプションまたは通常料金オプションがユーザに提示され、選択を受信するものとする（ブロック５１８）。図６Ｂに示すように、ディスプレイ２０６は、ＮＯＲＭＡＬ  ＴＡＲＩＦＦ（通常料金）ボタンとＳＰＥＣＩＡＬ  ＴＡＲＩＦＦ（特別料金）ボタンとを含むものとする。ユーザは、ＮＯＲＭＡＬ  ＴＡＲＩＦＦボタン、ＳＰＥＣＩＡＬ  ＴＡＲＩＦＦボタンのいずれかを強調表示し、ＳＥＬＥＣＴボタンを押すものとする。旅行者は、特別料金とはいかなるものか気になり、図７Ａに示すように、ＳＰＥＣＩＡＬ  ＴＡＲＩＦＦボタンを選択しようと強調表現するものとする。ユーザが特別料金を選択する（ブロック５２０でＮＯ）と、特別料金情報を受信するものとする（ブロック５２２）。この例では、選択したローミングオペレータ（例えば３ＳＥ）から装置１０６が特別料金の詳細を要求するものとする。特別料金の詳細がユーザに提示されるものとする（ブロック５２６）。図７Ｂに示すように、例えば、１０ユーロで２４時間のデータサービス、それとも４ユーロで２時間のデータサービス、というように、特別料金に関する詳細情報が提示される。
【００５９】
旅行者がこれらの特別料金に満足し、特別料金のうち１つを選択して支払を行おうとするものとする。支払情報を受け取り、選択したローミングオペレータへ送信するものとする（ブロック５２６）。図７Ｂに示すように、ディスプレイ２０６にクレジットカード番号を入力する欄が提示され、選択したローミングオペレータには、クレジットカード番号がプランの選択とともに送信されるものとする。ある実施形態では、クレジットカード情報は装置１０６に格納されており、ユーザが要求すればローミングオペレータへ送信するものとすることも可能である。ＧＧＳＮを通してモバイルデータサービスを受けることができる（ブロック５２８）。例えば、図１を参照すると、装置１０６がタワー１０８‐３からデータサービスを要求し、タワー１０８‐３がＧＧＳＮ（サーバ１１２に備わる）によってリンク１１４を介してインターネット（ネットワーク１１０内）へ要求を通過させるものとする。１０ユーロで２４時間のデータサービスをユーザが選択する場合、ユーザは２４時間ウェブを閲覧したり、電子メールを読んだりすることができて、１０ユーロ課金されることとなる。この実施形態では、ローミングオペレータは、旅行者のホームオペレータに対して独立のデータサービスの提供を行うものとする。別の実施形態では、ローミングオペレータが、ホームオペレータに対して独立のデータサービスを行うこともあれば、以下で説明するように、ホームオペレータに対して独立ではないデータサービスを行うこともある。
【００６０】
ブロック５２０に戻り、旅行者が特別料金に興味がなく、通常料金の適用を所望するものとする。ユーザが通常料金を選択する（ブロック５２０でＹＥＳ）と、通常料金通知がユーザに提示されるものとする。図８Ａに示すが、ＮＯＲＭＡＬ  ＴＡＲＩＦＦボタンを選択しようと強調表示するものとする。ユーザが通常料金を選択する（ブロック５２０でＹＥＳ）と、ユーザに対して、図８Ｂに示す通常料金通知がディスプレイ２０６に表示されるものとする。装置１０６では、選択したローミングオペレータとホームオペレータとの間の相互接続を通してモバイルデータサービスを受けることができる（ブロック５３０）。例えば、図１を参照すると、装置１０６がタワー１０８‐３からデータサービスを要求し、タワー１０８‐３がタワー１０８‐４へ要求を通過させ、タワー１０８‐４が相互接続１１１によってタワー１０８‐６へ、そしてホームネットワーク環境１０２におけるホームオペレータへ要求を通過させるものとする。この例では、タワー１０８‐６は、次にタワー１０８‐６におけるＧＧＳＮ（図示せず）によってリンク１１４でインターネットへ要求を通過させるものとする。装置１０６のユーザは、ウェブを閲覧したり、電子メールを読んだりして、通常料金の適用を受けることとなる。
【００６１】
ブロック５１４に戻るが（例えば、料金オプションが選択され（ブロック５１０）、ＵＲＩが要求された（ブロック５１２）後）、リダイレクトが検出されない場合（ブロック５１４でＮＯ）、装置１０６は、ローミングオペレータが特別料金を有していないと判定するものとする。この状況では、通常料金通知が提示されるものとする（ブロック５１６）。例えば、図８Ｂに示すように、データサービスには通常料金が適用されるという通知が、ディスプレイ２０６に表示されることになる。装置１０６では、選択したローミングオペレータとホームオペレータとの間の相互接続を通してモバイルデータサービスを受けることができる（ブロック５３０）。例えば、図１を参照すると、装置１０６がタワー１０８‐３からデータサービスを要求し、タワー１０８‐３がタワー１０８‐４へ要求を通過させ、タワー１０８‐４が相互接続１１１によってタワー１０８‐６へ、そしてホームネットワーク環境１０２におけるホームオペレータへ要求を通過させるものとする。この例では、タワー１０８‐６は、次にタワー１０８‐６におけるＧＧＳＮ（図示せず）によってリンク１１４でインターネットへ要求を通過させるものとする。装置１０６のユーザは、ウェブを閲覧したり、電子メールを読んだりして、通常料金の適用を受けることとなる。
【００６２】
ブロック５１０に戻り、旅行者が料金オプションに全く興味がないものとする。この場合に、ユーザが料金オプションを選択しない（ブロック５１０でＮＯ）と、通常料金通知がユーザに提示されるものとする（ブロック５１６）。例えば、図８Ｂに示すように、データサービスには通常料金が適用されるという通知が、ディスプレイ２０６に表示されることになる。装置１０６では、選択したローミングオペレータとホームオペレータとの間の相互接続を通してモバイルデータサービスを受けることができる（ブロック５３０）。例えば、図１を参照すると、装置１０６がタワー１０８‐３からデータサービスを要求し、タワー１０８‐３がタワー１０８‐４へ要求を通過させ、タワー１０８‐４が相互接続１１１によってタワー１０８‐６へ、そしてホームネットワーク環境１０２におけるホームオペレータへ要求を通過させるものとする。この例では、タワー１０８‐６は、次にタワー１０８‐６におけるＧＧＳＮ（図示せず）によってリンク１１６でインターネットへ要求を通過させるものとする。装置１０６のユーザは、ウェブを閲覧したり、電子メールを読んだりして、通常料金の適用を受けることとなる。
【００６３】
ローミングオペレータが提供するデータサービスに加えて、ローミングオペレータは、ホームオペレータに対して独立ではない音声サービスも提供することができる。例えば、ローミングオペレータは、ホームオペレータによって装置１０６を認証するものすることができる。認証後、ローミングオペレータは、装置１０６に音声サービス（例えば、電話をかけたり受けたりすること）を提供することができる。装置１０６に提供する音声サービスについては、ローミングオペレータはホームオペレータから実質的に支払を受け取るものとすることができる。
【００６４】
図９は、ローミングネットワークにおけるデータサービスの処理例９００のフローチャートである。処理９００は、ドイツ人旅行者、例えば装置１０６のユーザ、がバルト海を渡り、ローミングネットワーク環境１０４、例えばスウェーデン、に到着して、装置１０６をＯＮにして、データサービスを起動する前から開始するものとするものとする。処理９００は、１または２以上のタワー１０８‐ｘにおいて行われるものとする。別の実施形態では、処理９００は、例えば装置１０６、タワー１０８、サーバ１１２などにおいて分散型として行うものとすることも可能である。
【００６５】
ローミングオペレータは、この例ではドイツ人旅行者のようなユーザに対して、ローミングオペレータのローミングサービスのブロードキャスティングを所望するものとする。ローミングサービスの通知のブロードキャスティングが行われるものとする（ブロック９０２）。例えば、Ｔｅｌｉａ、Ｃｏｍｖｉｑ、ＴｅｌｎｏｒＳＥ、３ＳＥなど、ローミングデータプランを提供するオペレータは、そのサービスの特徴のブロードキャスティングを行うものとする。
【００６６】
ＵＲＩ要求を受け取るものとする（ブロック９０４）。例えば、装置１０６のユーザがローミングオペレータを選択すると、装置１０６がＵＲＩを要求し（上述のブロック５１２を参照）、タワー１０８‐ｘが受信するものとする。ＵＲＩ要求は、例えば「ｒｏａｍｉｎｇｏｐｅｒａｔｏｒｄａｔａｐｌａｎ．ｃｏｍ」を含むものとすることができる。ローミングオペレータは、このＵＲＩ要求が特別料金の詳細の要求であると理解するものとする。リダイレクトが提供されるものとする（ブロック９０６）。例えば、タワー１０８‐ｘは、装置１０６を「ｔａｒｉｆｆ．ｒｏａｍｉｎｇｏｐｅｒａｔｏｒ．ｃｏｍ」へリダイレクトすることが可能である。特別料金情報を送信するものとする（ブロック９０８）。リダイレクトしたＵＲＩは、特別料金の詳細を含むものとする。ブロック５１８および図７Ｂについて上述したように、ユーザに対して、特別料金の詳細がディスプレイ２０６に表示されるものとする。ユーザ支払情報が受信されるものとする（ブロック９１０）。図５および図７Ｂについて上述したように、ローミングオペレータは、（例えばタワー１０８‐ｘによって）クレジットカード番号や特別料金選択（例えば４ユーロで２４時間など）などのユーザ支払情報を受信するものとする。モバイルデータサービスの提供が行われるものとする（ブロック９１２）。クレジットカード情報を受信し、クレジットカードに対して１０ユーロなどの課金を行うと、ローミングオペレータはデータサービスの提供を行うものとする。ある実施形態では、例えば、ローミングオペレータは、ホームオペレータに対して独立に、リンク１１４を介してネットワーク１１０に連結したサーバ１１２におけるＧＧＳＮを介して、装置１０６にデータサービスの提供を行うものとすることができる。
【００６７】
しかしながら、ある実施形態では、ホームオペレータに対して独立のローミングオペレータが全てのデータサービスの提供を行う必要はない。例えば、ある実施形態では、ローミングオペレータがＳＭＳ（ｓｉｍｐｌｅ  ｍｅｓｓａｇｉｎｇ  ｓｙｓｔｅｍ：シンプルメッセージングシステム）メッセージやＭＭＳ（ｍｕｌｔｉ‐ｍｅｄｉａ  ｍｅｓｓａｇｉｎｇ  ｓｙｓｔｅｍ：マルチメディアメッセージングシステム）メッセージをＧＧＳＮによって処理できないこともある。代わりに、ローミングオペレータはＳＭＳメッセージおよびＭＭＳメッセージを相互接続１１１によって送信するものとすることができる。
【００６８】
図１０は、ローミングネットワークにおけるデータサービスの提供を行う処理例１０００のフローチャートである。処理１０００は、例えば、例えばドイツ人旅行者などのユーザがローミングオペレータを選択し、特別料金を選択した後に開始するものとすることができる。データサービスの要求が装置１０６によって要求されるものとする（ブロック１００２）。データサービスがホームネットワーク環境１０２との相互接続を必要とする場合、ホームネットワーク環境１０２への直接接続を用いて、データサービスの提供を行うものとすることができる。例えば、ＳＭＳメッセージやＭＭＳメッセージがローミングネットワークによって受信される場合、ローミングネットワークは専用相互接続１１１を用いて、ＭＭＳやＳＭＳをホームオペレータへ送信するものとすることができる。相互接続が要求されない場合は、ＧＧＳＮを用いるものとすることができる。例えば、ワールドワイドウェブ（ＷＷＷ：ｗｏｒｌｄ‐ｗｉｄｅ  ｗｅｂ）ユニバーサルリソースロケータ（ＵＲＬ：ｕｎｉｖｅｒｓａｌ  ｒｅｓｏｕｒｃｅ  ｌｏｃａｔｅｒ）が要求される場合、ローミングネットワークはサーバ１１２のＧＧＳＮ部を用いて、リンク１１４を介してインターネット（例えばネットワーク１１０）に接続し、要求されたデータサービスの提供を行うものとすることができる。
【００６９】
ある実施形態では、ローミングオペレータは、ホームオペレータに対して独立のデータサービスの提供を行うものとすることができる。このようなものとして、ローミングオペレータにとっては、ユーザ装置１０６に対してデータサービスの提供を行う前に装置１０６のユーザの認証を行うことが必要ではないことがあって、例えば、ローミングオペレータにとっては、ホームオペレータについてチェックして、当該装置１０６が実際にホームオペレータによるアカウントを有しているのか検証することが必要ではない場合がある。ホームオペレータによって装置１０６を認証するかわりに、ローイングオペレータはクレジットカードで支払を受け取るものとすることができる。この例では、ローミングオペレータはクレジットカードに対して課金を行い、ホームオペレータについて装置１０６の認証を行うことなく支払を受け取るものとすることができる。このように、例えば、ユーザは、いずれのホームオペレータにも関連しないＳＩＭ（ｓｕｂｓｃｒｉｂｅｒ  ｉｄｅｎｔｉｔｙ  ｍｏｄｕｌｅ：加入者識別モジュール）カードを使用したとしても、ローミングオペレータからサービスを受けることが可能なのである。
【００７０】
ある実施形態では、ローミングオペレータは、データサービスの提供は行うが、音声サービスの提供は行わないものとすることができる。しかしながら、別の実施形態では、例えばボイスオーバインターネットプロトコル（ＶｏＩＰ：Ｖｏｉｃｅ  ｏｖｅｒ  Ｉｎｔｅｒｎｅｔ  Ｐｒｏｔｏｃｏｌ）によってデータネットワークを通して電話サービスの提供を行うものとすることができる。しかしながら、「音声サービス（ｖｏｉｃｅ  ｓｅｒｖｉｃｅ）」という言葉をここで用いた場合、ＶｏＩＰなど、データサービスを通して提供する電話サービスは除外されるものとすることができる。
【００７１】
ある実施形態では、ユーザ装置に関連するホームサービスプロバイダにかかわらず、支払を必要とし、ユーザ装置にデータサービスの提供を行うＷｉＦｉサービスと、ローミングオペレータが直接競い合うものとすることが可能である。ある実施形態では、相互接続によってホームオペレータにデータを送信しない結果として、データ送信の待ち時間が削減されるものとすることが可能である。
【００７２】
ある実施形態では、装置１０６がホームオペレータのサービスを受ける領域にありながらも、装置１０６のユーザが、ホームオペレータ以外のオペレータが提供を行うデータサービスを特別料金で観察し選択することが可能である。
【００７３】
結論
したがって、ここで説明した実施形態は、ローミングオペレータがホームオペレータに対して独立の移動装置に対するデータサービスの提供を行うことを可能にするものである。ここで説明した１または２以上の実施形態は、例えば均一料金などの均一レートでローミングオペレータが移動装置にデータサービスの提供を行うことを可能にするものである。ここで説明する１または２以上の実施形態は、ホームオペレータおよびローミングオペレータにデータを返信するよりも、ローミングオペレータがＧＧＳＮへトラフィックを通過させることを可能にするものである。ここで説明した１または２以上の実施形態は、ＧＧＳＮへトラフィックを通過させるか、ホームオペレータとローミングオペレータとの間の相互接続へホームオペレータへの相互接続へトラフィックを通過させるか、ローミングオペレータが判定することを可能にするものである。
【００７４】
「キーパッド」という言葉をここで用いた場合、ユーザが情報を入力するコントロールキー２０８、キーパッド２１０、またはタッチセンシティブディスプレイを含むものとすることが可能である。
【００７５】
上述の実施形態の説明は例示と説明を与えるものであって、開示した形態そのものについては、本発明を網羅したものでもなければ、限定したものでもないと意図している。上述の教示のもとで、変更や変形が可能である。
【００７６】
処理例５００、９００、１０００については、ある特定の順序でブロックを示してあるが、これらの処理については、ブロックをかかる特定の順序とするような限定はない。例えば、ある図に関して連続したブロックについての説明があったとしても、ブロックの順序は他の実施形態では変更することが可能である。さらに、非依存動作は平行して実行することもできる。
【００７７】
「ｃｏｍｐｒｉｓｅｓ／ｃｏｍｐｒｉｓｉｎｇ（含む、備える）」という言葉をこの明細書で用いた場合、言明した特徴、整数、ステップ、または構成要素の存在を規定するためにとっているものであり、１または２以上の他の特徴、整数、ステップ、構成要素、またはその組合せの存在または追加を排除するものではないということを強調しておこう。
【００７８】
上述の本発明の観点は、図面に示した実施形態において、多くの異なる形態のソフトウェア、ファームウェア、ハードウェアで実施可能であることは明らかであろう。本発明の観点を実施するために用いる実際のソフトウェアコードや特定制御ハードウェアは、本発明の原理に一致するものであるが、本発明を限定するものではない。このように、本発明の観点のオペレーションや挙動について、特定のソフトウェアコードを参照することなく説明したが、この明細書に基づけば、ソフトウェア設計やハードウェア制御を行って、本発明の観点を実施することが可能であろう。
【００７９】
本出願に用いる要素、動作、命令については、本発明にとって重大であったり、本質的であったりするものであると明示していない限り、そのように解釈されるべきものではない。また、「ａ」という冠詞をここで用いた場合は、１または２以上の項目を含むことを意図している。唯一の項目を意図するようなところでは、「ｏｎｅ」という言葉や同様の言語を用いている。さらに、「ｂａｓｅｄ  ｏｎ（に基づく）」という表現は、「ｂａｓｅｄ，  ａｔ  ｌｅａｓｔ  ｉｎ  ｐａｒｔ，  ｏｎ（少なくとも部分的に基づく）」ということを、その逆の意図を明示していない限り、意図している。
【図１】
2010538512.tif 000003
【図２】
2010538512.tif 000004
【図３】
2010538512.tif 000005
【図４】
2010538512.tif 000006
【図５】
2010538512.tif 000007
【図６Ａ】
2010538512.tif 000008
【図６Ｂ】
2010538512.tif 000009
【図７Ａ】
2010538512.tif 000010
【図７Ｂ】
2010538512.tif 000011
【図８Ａ】
2010538512.tif 000012
【図８Ｂ】
2010538512.tif 000013
【図９】
2010538512.tif 000014
【図１０】
2010538512.tif 000015
【手続補正書】
【提出日】平成22年3月1日(2010.3.1)
【手続補正１】
【補正対象書類名】特許請求の範囲
【補正対象項目名】全文
【補正方法】変更
【補正の内容】
【特許請求の範囲】
【請求項１】
移動通信装置によって複数のローミングオペレータを検出することと、前記移動通信装置はホームオペレータに関連することと、
前記移動通信装置のユーザに選択可能な項目のリストを提供することと、前記選択可能な項目の各々は、前記複数のローミングオペレータのある特定のローミングオペレータを表していることと、
前記複数のローミングオペレータのある特定のローミングオペレータを表している前記選択可能な項目のうちの１つの選択を受信することと、
前記移動通信装置のユーザに、選択された前記ローミングオペレータに関連する料金オプションを観察するオプションを提供することと、前記料金オプションは、選択された前記ローミングオペレータと前記ホームオペレータとの間の所定の通常料金と、選択された前記ローミングオペレータが前記ホームオペレータに対して独立に提示する特別料金とのうちの少なくとも１つを含むことと、
移動通信装置によって、前記ホームオペレータに対して独立の選択された前記ローミングオペレータによって提供されるデータサービスを受けることと、
前記移動通信装置から選択された前記ローミングオペレータへ、選択された前記ローミングオペレータが前記ホームオペレータで前記移動通信装置を認証する情報を送信することと、
前記移動通信装置によって、前記ホームオペレータでの前記移動通信装置の選択された前記ローミングオペレータによる前記認証に基づいて、選択された前記ローミングオペレータによって提供される音声サービスを受けることと
を含む方法。
【請求項２】
前記料金オプションが前記特別料金を含むか否かを判定することと、前記判定は、
選択された前記ローミングオペレータからのユニバーサルリソースインジケータ（ＵＲＩ）を要求することと、
異なるＵＲＩへのリダイレクトを検出することと
を含む、請求項１に記載の方法。
【請求項３】
前記データサービスの支払についての前記移動通信装置から前記ローミングオペレータへの支払情報を送信すること
をさらに含む、請求項１に記載の方法。
【請求項４】
前記データサービスを受けることは、第１のデータサービスを受けることを含み、
前記方法は、
前記ローミングオペレータから第２のデータサービスを受けることと、前記ローミングオペレータは前記ホームオペレータと相互接続し、前記第２のデータサービスを提供することと
をさらに含む、請求項１に記載の方法。
【請求項５】
前記第２のデータサービスは、シンプルメッセージシステム（ＳＭＳ）メッセージまたはマルチメディアメッセージシステム（ＭＭＳ）メッセージのうちの１つである、請求項４に記載の方法。
【請求項６】
ホームオペレータに関連する移動通信装置であって、
複数のローミングオペレータに対して通信信号を検出して、送受信する送受信部と、
前記ユーザに選択可能な項目のリストを提供するディスプレイであって、前記選択可能な項目の各々は前記複数のローミングオペレータのある特定のローミングオペレータを表したものである、ディスプレイと、
前記複数のローミングオペレータのうちの１つを表している前記選択可能な項目のうちの１つの選択を受信する入力装置と、
前記送受信部と、前記入力装置と、前記ディスプレイとに連結された処理部であって、
前記ホームオペレータに対して独立の選択された前記ローミングオペレータからのデータサービスを処理し、
選択された前記ローミングオペレータが前記ホームオペレータで前記移動通信装置を認証する情報を前記ローミングオペレータへ提供し、
前記ホームオペレータでの前記移動通信装置の選択された前記ローミングオペレータによる前記認証に基づいて、前記ローミングオペレータからの音声サービスを処理する処理部と
を備える装置。
【請求項７】
前記処理部は、さらに
前記ローミングオペレータが前記ホームオペレータに対して独立の前記データサービスを提供するか否かを判定し、
前記ホームオペレータに対して独立の前記データサービスを受けるか、それとも前記ホームオペレータに対して独立でない前記データサービスを受けるかというオプションを前記移動通信装置のユーザに提供する、
請求項６に記載の装置。
【請求項８】
前記処理部は、前記ローミングオペレータからのユニバーサルリソースインジケータ（ＵＲＩ）を要求し、異なるＵＲＩへのリダイレクトを検出する、
請求項７に記載の装置。
【請求項９】
前記処理部は、前記データサービスの支払についての前記ローミングオペレータへの支払情報を送信する、
請求項７に記載の装置。
【請求項１０】
前記処理部は、前記ローミングオペレータから第２のデータサービスを受け、前記ローミングオペレータは前記ホームオペレータと相互接続し、前記第２のデータサービスを提供する、
請求項６に記載の装置。
【国際調査報告】
2010538512.tif 000016
2010538512.tif 000017
2010538512.tif 000018